(57)【特許請求の範囲】
【請求項１】
第１のアンテナポートの少なくとも１つの制御信号を表す少なくとも１つの制御シンボルと、該少なくとも１つの制御シンボルのためのチャネルセットからの少なくとも１つのチャネルとを決定するステップと、
第２のアンテナポートの少なくとも１つのさらなる制御シンボルと、該少なくとも１つのさらなる制御シンボルのためのチャネルセットからの少なくとも１つのさらなるチャネルとを決定するステップと、
を含み、前記少なくとも１つのさらなる制御シンボル及び前記少なくとも１つのさらなるチャネルが、前記少なくとも１つの制御シンボル及び前記少なくとも１つのチャネルに依存し、前記チャネル及び前記さらなるチャネルが、周波数リソースと、時間周期リソースと、符号リソースと、のうちの少なくとも１つを含む、
ことを特徴とする方法。
【請求項２】
前記少なくとも１つの制御シンボルを、前記少なくとも１つのチャネルを介して前記第１のアンテナポートから送信するステップと、
前記少なくとも１つのさらなる制御シンボルを、前記少なくとも１つのさらなるチャネルを介して前記第２のアンテナポートから送信するステップと、
をさらに含むことを特徴とする請求項１に記載の方法。
【請求項３】
前記少なくとも１つのさらなる制御シンボル及び少なくとも１つのさらなるチャネルを決定するステップが、
前記少なくとも１つの制御シンボル及び前記少なくとも１つのチャネルのインジケータを受け取るステップと、
前記インジケータをマッピングして、前記少なくとも１つのさらなる制御シンボル及び前記少なくとも１つのさらなる制御シンボルのための少なくとも１つのさらなるチャネルを決定するステップと、
を含むことを特徴とする請求項１及び２に記載の方法。
【請求項４】
前記少なくとも１つのさらなる制御シンボル及び少なくとも１つのさらなるチャネルを決定するステップが、
前記チャネルセットを組み合わせてチャネルのペアにするステップを含み、
前記マッピングステップが、前記少なくとも１つのチャネルがチャネルセットのペアのうちの第２のチャネルであることを示す前記インジケータの前記少なくとも１つの制御シンボルの複素共役をとることにより、前記チャネルセットのペアのうちの第１のチャネルのさらなる制御シンボルを決定するステップを含み、前記チャネルセットのペアのうちの前記第２のチャネルのさらなる制御シンボルが、前記少なくとも１つのチャネルが前記チャネルセットのペアのうちの前記第１のチャネルであることを示す前記インジケータの前記少なくとも１つの制御シンボルの複素共役と−１の積である、
ことを特徴とする請求項３に記載の方法。
【請求項５】
前記インジケータが、第１の数の要素を含むベクトルを含み、前記第１の数の要素が利用可能なチャネル数であり、各要素が、該要素に関連する前記チャネル上で出力されるように選択された前記シンボルの指示を表す、
ことを特徴とする請求項３に記載の方法。
【請求項６】
前記インジケータをマッピングするステップが、前記少なくとも１つのさらなる制御シンボル及び第１の数の第２のベクトル要素を含む第２のベクトルを含む少なくとも１つのさらなるチャネルのインジケータをＹとし、ｉによって表示される前記第２のベクトル要素の各々が、前記第２のアンテナポートのための前記要素に関連する前記チャネル上で出力されるように選択された前記シンボルの指示を表し、前記第１のアンテナポートのための前記少なくとも１つの制御シンボル及び前記少なくとも１つのチャネルのベクトルインジケータをＸとする数学関数：
0005633913.tif 000009
を含み、ここにおいて
0005633913.tif 000010
は前記Ｘのベクトル要素の各々を表示する、
ことを特徴とする請求項５に記載の方法。
【請求項７】
前記チャネルセットが、割り当てられたチャネルの組を含む、
ことを特徴とする請求項１から６に記載の方法。
【請求項８】
前記少なくとも１つのさらなる制御シンボル及び少なくとも１つのさらなるチャネルを決定するステップが、
前記割り当てられたチャネルの組が奇数のチャネルであると判断するステップと、
前記割り当てられたチャネルの組が奇数のチャネルの場合、さらに割り当てるチャネルを選択するステップと、
を含み、前記チャネルセットが、前記さらに割り当てるチャネルをさらに含む、
ことを特徴とする請求項７に記載の方法。
【請求項９】
少なくとも１つの制御信号を表す前記少なくとも１つの制御シンボルと、該少なくとも１つの制御シンボルのためのチャネルセットからの少なくとも１つのチャネルとを第１のアンテナポートから受け取るステップと、
前記少なくとも１つのさらなる制御シンボルと、該少なくとも１つのさらなる制御シンボルのための前記チャネルセットからの少なくとも１つのさらなるチャネルとを少なくとも１つのさらなるアンテナポートから受け取るステップと、
を含み、前記少なくとも１つのさらなる制御シンボル及び前記少なくとも１つのさらなるチャネルが、前記少なくとも１つの制御シンボル及び前記少なくとも１つのチャネルに依存し、前記チャネル及び前記さらなるチャネルが、周波数リソースと、時間周期リソースと、符号リソースと、のうちの少なくとも１つを含む、
ことを特徴とする方法。
【請求項１０】
少なくとも１つのプロセッサと、コンピュータプログラムコードを含む少なくとも１つのメモリとを備えた装置であって、前記少なくとも１つのメモリ及び前記コンピュータプログラムコードが、前記少なくとも１つのプロセッサを使用して前記装置に、
第１のアンテナポートの少なくとも１つの制御信号を表す少なくとも１つの制御シンボルと、該少なくとも１つの制御シンボルのためのチャネルセットからの少なくとも１つのチャネルとを決定するステップと、
第２のアンテナポートの少なくとも１つのさらなる制御シンボルと、該少なくとも１つのさらなる制御シンボルのためのチャネルセットからの少なくとも１つのさらなるチャネルとを決定するステップと、
を少なくとも実行させ、前記少なくとも１つのさらなる制御シンボル及び前記少なくとも１つのさらなるチャネルが、前記少なくとも１つの制御シンボル及び前記少なくとも１つのチャネルに依存し、前記チャネル及び前記さらなるチャネルが、周波数リソースと、時間周期リソースと、符号リソースと、のうちの少なくとも１つを含む、
ことを特徴とする装置。
【請求項１１】
前記少なくとも１つの制御シンボルを、前記少なくとも１つのチャネルを介して第１のアンテナポートから送信するステップと、
前記少なくとも１つのさらなる制御シンボルを、前記少なくとも１つのさらなるチャネルを介して第２のアンテナポートから送信するステップと、
をさらに実行するようにされる、
ことを特徴とする請求項１０に記載の装置。
【請求項１２】
少なくとも１つのさらなる制御シンボル及び少なくとも１つのさらなるチャネルを決定するステップを実行するようにされた前記装置が、
前記少なくとも１つの制御シンボル及び前記少なくとも１つのチャネルのインジケータを受け取るステップと、
前記インジケータをマッピングして、前記少なくとも１つのさらなる制御シンボル及び前記少なくとも１つのさらなる制御シンボルのための少なくとも１つのさらなるチャネルを決定するステップと、
をさらに実行するようにされる、
ことを特徴とする請求項１０及び１１に記載の装置。
【請求項１３】
少なくとも１つのさらなる制御シンボル及び少なくとも１つのさらなるチャネルを決定するステップを実行するようにされた前記装置が、
前記チャネルセットを組み合わせてチャネルのペアにするステップさらに実行するようにされ、
前記マッピングステップが、前記少なくとも１つのチャネルがチャネルセットのペアのうちの第２のチャネルであることを示す前記インジケータの前記少なくとも１つの制御シンボルの複素共役をとることにより、前記チャネルセットのペアのうちの第１のチャネルのさらなる制御シンボルを決定するステップを含み、前記チャネルセットのペアのうちの前記第２のチャネルのさらなる制御シンボルが、前記少なくとも１つのチャネルが前記チャネルセットのペアのうちの前記第１のチャネルであることを示す前記インジケータの前記少なくとも１つの制御シンボルの複素共役と−１の積である、
ことを特徴とする請求項１２に記載の装置。
【請求項１４】
前記インジケータが、第１の数の要素を含むベクトルを含み、前記第１の数の要素が利用可能なチャネル数であり、各要素が、該要素に関連する前記チャネル上で出力されるように選択された前記シンボルの指示を表す、
ことを特徴とする請求項１２に記載の装置。
【請求項１５】
前記インジケータをマッピングするステップを実行するようにされた前記装置が、前記少なくとも１つのさらなる制御シンボル及び第１の数の第２のベクトル要素を含む第２のベクトルを含む少なくとも１つのさらなるチャネルのインジケータをＹとし、ｉによって表示される前記第２のベクトル要素の各々が、前記第２のアンテナポートのための前記要素に関連する前記チャネル上で出力されるように選択された前記シンボルの指示を表し、前記第１のアンテナポートのための前記少なくとも１つの制御シンボル及び前記少なくとも１つのチャネルのベクトルインジケータをＸとする数学関数：
0005633913.tif 000011
をさらに実行するようにされ、
ここにおいて
0005633913.tif 000012
は前記Ｘのベクトル要素の各々を表示する、
ことを特徴とする請求項１４に記載の装置。
【請求項１６】
前記チャネルセットが、割り当てられたチャネルの組を含む、
ことを特徴とする請求項１０から１５に記載の装置。
【請求項１７】
前記少なくとも１つのさらなる制御シンボル及び少なくとも１つのさらなるチャネルを決定するステップを実行するようにされた前記装置が、
前記割り当てられたチャネルの組が奇数のチャネルであると判断するステップと、
前記割り当てられたチャネルの組が奇数のチャネルの場合、さらに割り当てるチャネルを選択するステップと、
をさらに実行するようにされ、前記チャネルセットが、前記さらに割り当てるチャネルをさらに含む、
ことを特徴とする請求項１６に記載の装置。
【請求項１８】
少なくとも１つのプロセッサと、コンピュータプログラムコードを含む少なくとも１つのメモリとを備えた装置であって、前記少なくとも１つのメモリ及び前記コンピュータプログラムコードが、前記少なくとも１つのプロセッサを使用して前記装置に、
第１のアンテナポートから少なくとも１つの制御信号を表す少なくとも１つの制御シンボルと、該少なくとも１つの制御シンボルのためのチャネルセットからの少なくとも１つのチャネルとを受け取るステップと、
少なくとも１つのさらなるアンテナポートから、少なくとも１つのさらなる制御シンボルと、該少なくとも１つのさらなる制御シンボルのためのチャネルセットからの少なくとも１つのさらなるチャネルとを受け取るステップと、
を少なくとも実行させ、前記少なくとも１つのさらなる制御シンボル及び前記少なくとも１つのさらなるチャネルが、前記少なくとも１つの制御シンボル及び前記少なくとも１つのチャネルに依存し、前記チャネル及び前記さらなるチャネルが、周波数リソースと、時間周期リソースと、符号リソースと、のうちの少なくとも１つを含む、
ことを特徴とする装置。
【発明の詳細な説明】
【技術分野】
【０００１】
本発明の実施形態は、アップリンク制御チャネル割り当てのための方法及び装置に関し、詳細には、排他的な意味ではないが、多入力多出力無線電気通信ネットワークで使用するアップリンク制御チャネル割り当てのための装置及び方法に関する。
【背景技術】
【０００２】
空間ダイバーシチ又は空間多重化を使用して通信のカバレッジ及び容量を改善することが提案されてきた。空間多重化を使用することで、異なるアンテナから独立した情報ストリームを、ただし周波数リソース、時間リソース及び場合によっては拡散符号により定義される同じチャネルを使用して送信することにより、データレートを高めることができる。
【０００３】
これらのシステムを、多入力多出力（ＭＩＭＯ）システムと呼ぶことができる。これらのシステムでは、複雑なコントローラが、移動局及び基地局の送信要素及び受信要素をいずれも制御する必要がある。
【０００４】
ＷＣＤＭＡ（広帯域符号分割多元接続）、３ＧＰＰ  ＬＴＥ（第３世代パートナーシッププロジェクト−ロングタームエボリューション）及びＷｉＭａｘシステムの標準規格の一部を成すマルチストリーム・シングルユーザＭＩＭＯ伝送が提案されている。シングルユーザ多入力多出力（ＳＵ−ＭＩＭＯ）では、複数のアンテナ及び受信回路を有するＭＩＭＯ受信機が複数のストリームを受信し、この複数のストリームを分離して、単一のユーザ装置からの空間的に多重化されたデータストリームの各ストリームで送られた伝送シンボルを特定する。
【０００５】
３ＧＰＰフォーラムでは、ＩＭＴ（国際移動体電気通信）−ＡｄｖａｎｃｅｄのＩＴＵ−Ｒ（国際電気通信連合無線通信部門）要件に対処するために、ＬＴＥ−ＡｄｖａｎｃｅｄをＬＴＥ  Ｒｅｌ’８システムの進化型とすることが提案されている。
【０００６】
ＬＴＥ−Ａｄｖａｎｃｅｄシステム（ＬＴＥ−Ａ）及び特にＬＴＥ  Ｒｅｌ’１０では、複数のアンテナポートを有する物理アップリンク制御チャネル（ＰＵＣＣＨ）チャネルの割り当てが問題となっている。
【０００７】
標準規格では、単一のアンテナ又はアンテナポートを使用するＰＵＣＣＨチャネルのチャネル選択が規定されている。例えば、Ｒｅｌ’８（３ＧＰＰ  ＴＳ  ３６．２１３  Ｖ８．８．０）で規定されている標準規格では、時分割複信（ＴＤＤ）内でＰＵＣＣＨフォーマット１ｂチャネル選択を使用する。コンポーネントキャリア・アグリゲーションに起因してハイブリッド確認応答要求（ＨＡＲＱ）フィードバックの数が増えるので、この方法は、Ｒｅｌ’１０の周波数領域複信（ＦＤＤ）などの今後の標準規格の発表に合わせて標準化される可能性が高い。
【先行技術文献】
【特許文献】
【０００８】
【特許文献１】ＰＣＴ出願ＰＣＴ／ＥＰ２００９／０５４６４２号
【非特許文献】
【０００９】
【非特許文献１】３ＧＰＰ  ＴＳ  ３６．２１３  Ｖ８．８．０
【発明の概要】
【発明が解決しようとする課題】
【００１０】
現在のところ、マルチアンテナ装置に関しては、空間直交リソース送信ダイバーシチ（ＳＯＲＴＤ）として知られているＰＵＣＣＨフォーマット１／１ａ／１ｂの方法が提案されている。ＳＯＲＴＤでは、２つのアンテナポートに対して別個のＰＵＣＣＨチャネルを確保する。換言すれば、アンテナポートごとに少なくとも１つの別個のＰＵＣＣＨチャネルが確保される。しかしながら、この方法には、高いＰＵＣＣＨリソースの消費が必要であり、（関連するオーバーヘッドの増加により）多重化容量が著しく低下するという点で問題がある。
【００１１】
開ループ送信ダイバーシチでは、異なる送信アンテナに直交リソースが必要であり、さもないと送信アンテナが互いに干渉するようになる。しかしながら、シングルアンテナの場合でも、チャネル選択には比較的数多くのリソースが必要である。例えば、現在合意済みの標準規格では、３ビットの情報を運ぶためにフォーマット１ｂのＰＵＣＣＨチャネルが２つ必要であり、４ビットの情報を運ぶためには４つのチャネルが必要である。マルチアンテナのＰＵＣＣＨチャネル選択にＳＯＲＴＤ処理を使用するあらゆるシステムでは、必要なチャネル数がさらに二重になる。例えば、ＳＯＲＴＤのＰＵＣＣＨチャネル選択及び割り当てでは、４ビットの制御情報を運ぶために８つのＰＵＣＣＨフォーマット１ｂチャネルを確保することが必要になる。
【００１２】
分離したＰＵＣＣＨチャネルをユーザ装置の両方のアンテナに割り当てることはできるが、これにはシングルアンテナポートの場合と比較して多重化容量が半分になるという短所が生じる。さらに、シングルアンテナポートモードを別個に使用した場合、これによるシステムは、ＳＯＲＴＤ又は同様の空間ダイバーシチ法を使用することによって得られる空間送信ダイバーシチを欠いたものになる。
【００１３】
ＰＣＴ出願ＰＣＴ／ＥＰ２００９／０５４６４２号に記載されるような空間巡回シフトブロック符号化（ＳＣＢＣ）法を使用することが提案されてきた。しかしながら、このような提案には限界がある。まず、使用するチャネル数が２である。これにより、３ビットを超える情報を運ぶマルチアンテナのＰＵＣＣＨチャネル選択にＳＣＢＣを使用する適用性が制限される。３に限定されない情報ビット数を運ぶマルチアンテナのＰＵＣＣＨチャネル選択でＳＣＢＣを単純に使用すると、必要なチャネル数がＳＯＲＴＤと同様にさらに二重になる。さらに、ＰＵＣＣＨチャネルは、単一の物理リソースブロック内で割り当てられなければならない。これにより、特に動的リソース割り当ての場合にリソース割り当てが大幅に制限される。現在のところ、これらの制限を克服するための解決策は提案されていない。
【課題を解決するための手段】
【００１４】
本発明の第１の態様によれば、少なくとも１つのポートの少なくとも１つの制御信号を表す少なくとも１つの制御シンボルと、この少なくとも１つの制御シンボルのためのチャネルセットからの少なくとも１つのチャネルとを決定するステップと、少なくとも１つのさらなるポートの少なくとも１つのさらなる制御シンボルと、この少なくとも１つのさらなる制御シンボルのためのチャネルセットからの少なくとも１つのさらなるチャネルとを決定するステップとを含む方法が提供され、少なくとも１つのさらなる制御シンボル及び少なくとも１つのさらなるチャネルは、少なくとも１つの制御シンボル及び少なくとも１つのチャネルに依存する。
【００１５】
この方法は、少なくとも１つの制御シンボルを、少なくとも１つのチャネルを介して第１のアンテナポートから送信するステップと、少なくとも１つのさらなる制御シンボルを、少なくとも１つのさらなるチャネルを介して第２のアンテナポートから送信するステップとをさらに含むことができる。
【００１６】
少なくとも１つのさらなる制御シンボル及び少なくとも１つのさらなるチャネルを決定するステップは、少なくとも１つの制御シンボル及び少なくとも１つのチャネルのインジケータを受け取るステップと、このインジケータをマッピングして、少なくとも１つのさらなる制御シンボル及び少なくとも１つのさらなる制御シンボルのための少なくとも１つのさらなるチャネルを決定するステップとを含むことができる。
【００１７】
少なくとも１つのさらなる制御シンボル及び少なくとも１つのさらなるチャネルを決定するステップは、チャネルセットを組み合わせてチャネルのペアにするステップを含むことができ、マッピングステップは、少なくとも１つのチャネルがチャネルセットのペアのうちの第２のチャネルであることを示すインジケータの少なくとも１つの制御シンボルの複素共役をとることにより、チャネルセットのペアのうちの第１のチャネルのさらなる制御シンボルを決定するステップを含み、チャネルセットのペアのうちの第２のチャネルのさらなる制御シンボルは、少なくとも１つのチャネルがチャネルセットのペアのうちの第１のチャネルであることを示すインジケータの少なくとも１つの制御シンボルの複素共役と−１の積である。
【００１８】
インジケータは、第１の数の要素を含むベクトルを含み、この第１の数の要素は利用可能なチャネル数であり、各要素は、この要素に関連するチャネル上で出力されるように選択されたシンボルの指示を表すことができる。
【００１９】
インジケータをマッピングするステップは、少なくとも１つのさらなる制御シンボル及び第１の数の第２のベクトル要素を含む第２のベクトルを含む少なくとも１つのさらなるチャネルのインジケータをＹとし、第２のベクトル要素の各々が、少なくとも１つのさらなるポートのための要素に関連するチャネル上で出力されるように選択されたシンボルの指示を表し、少なくとも１つのポートのための少なくとも１つの制御シンボル及び少なくとも１つのチャネルのベクトルインジケータをＸとする数学関数：
0005633913.tif 000002
を含むことができる。
【００２０】
チャネルセットは、割り当てられたチャネルの組を含むことができる。
【００２１】
少なくとも１つのさらなる制御シンボル及び少なくとも１つのさらなるチャネルを決定するステップは、割り当てられたチャネルの組が奇数のチャネルであると判断するステップと、割り当てられたチャネルの組が奇数のチャネルの場合、さらに割り当てるチャネルを選択するステップとを含むことができ、チャネルセットは、このさらに割り当てるチャネルをさらに含む。
【００２２】
チャネル及びさらなるチャネルは、周波数リソースと、時間周期リソースと、符号リソースと、のうちの少なくとも１つを含むことができる。
【００２３】
この方法は、少なくとも１つの制御信号を表す少なくとも１つの制御シンボルと、この少なくとも１つの制御シンボルのためのチャネルセットからの少なくとも１つのチャネルとを第１のアンテナポートにおいて受け取るステップと、少なくとも１つのさらなる制御シンボルと、この少なくとも１つのさらなる制御シンボルのためのチャネルセットからの少なくとも１つのさらなるチャネルとを少なくとも１つのさらなるアンテナポートにおいて受け取るステップとをさらに含むことができ、少なくとも１つのさらなる制御シンボル及び少なくとも１つのさらなるチャネルは、少なくとも１つの制御シンボル及び少なくとも１つのチャネルに依存する。
【００２４】
本発明の第２の態様によれば、少なくとも１つのプロセッサと、コンピュータプログラムコードを含む少なくとも１つのメモリとを備えた装置が提供され、少なくとも１つのメモリ及びコンピュータプログラムコードは、少なくとも１つのプロセッサを使用して装置に、少なくとも１つのポートの少なくとも１つの制御信号を表す少なくとも１つの制御シンボルと、この少なくとも１つの制御シンボルのためのチャネルセットからの少なくとも１つのチャネルとを決定するステップと、少なくとも１つのさらなるポートの少なくとも１つのさらなる制御シンボルと、この少なくとも１つのさらなる制御シンボルのためのチャネルセットからの少なくとも１つのさらなるチャネルとを決定するステップとを少なくとも実行させ、少なくとも１つのさらなる制御シンボル及び少なくとも１つのさらなるチャネルは、少なくとも１つの制御シンボル及び少なくとも１つのチャネルに依存する。
【００２５】
この装置は、少なくとも１つの制御シンボルを、少なくとも１つのチャネルを介して第１のアンテナポートから送信するステップと、少なくとも１つのさらなる制御シンボルを、少なくとも１つのさらなるチャネルを介して第２のアンテナポートから送信するステップとをさらに実行するようにされる。
【００２６】
この少なくとも１つのさらなる制御シンボル及び少なくとも１つのさらなるチャネルを決定するステップを実行するようにされた装置は、少なくとも１つの制御シンボル及び少なくとも１つのチャネルのインジケータを受け取るステップと、このインジケータをマッピングして、少なくとも１つのさらなる制御シンボル及び少なくとも１つのさらなる制御シンボルのための少なくとも１つのさらなるチャネルを決定するステップとをさらに実行するようにされる。
【００２７】
この少なくとも１つのさらなる制御シンボル及び少なくとも１つのさらなるチャネルを決定するステップを実行するようにされた装置は、チャネルセットを組み合わせてチャネルのペアにするステップさらに実行するようにされ、マッピングステップは、少なくとも１つのチャネルがチャネルセットのペアのうちの第２のチャネルであることを示すインジケータの少なくとも１つの制御シンボルの複素共役をとることにより、チャネルセットのペアのうちの第１のチャネルのさらなる制御シンボルを決定するステップを含み、チャネルセットのペアのうちの第２のチャネルのさらなる制御シンボルは、少なくとも１つのチャネルがチャネルセットのペアのうちの第１のチャネルであることを示すインジケータの少なくとも１つの制御シンボルの複素共役と−１の積である。
【００２８】
インジケータは、第１の数の要素を含むベクトルを含み、この第１の数の要素は利用可能なチャネル数であり、各要素は、この要素に関連するチャネル上で出力されるように選択されたシンボルの指示を表す。
【００２９】
このインジケータをマッピングするステップを実行するようにされた装置は、少なくとも１つのさらなる制御シンボル及び第１の数の第２のベクトル要素を含む第２のベクトルを含む少なくとも１つのさらなるチャネルのインジケータをＹとし、第２のベクトル要素の各々が、少なくとも１つのさらなるポートのための要素に関連するチャネル上で出力されるように選択されたシンボルの指示を表し、少なくとも１つのポートのための少なくとも１つの制御シンボル及び少なくとも１つのチャネルのベクトルインジケータをＸとする数学関数：
0005633913.tif 000003
をさらに実行するようにされる。
【００３０】
チャネルセットは、割り当てられたチャネルの組を含む。
【００３１】
この少なくとも１つのさらなる制御シンボル及び少なくとも１つのさらなるチャネルを決定するステップを実行するようにされた装置は、割り当てられたチャネルの組が奇数のチャネルであると判断するステップと、割り当てられたチャネルの組が奇数のチャネルの場合、さらに割り当てるチャネルを選択するステップとをさらに実行するようにされ、チャネルセットは、このさらに割り当てるチャネルをさらに含む。
【００３２】
この装置は、少なくとも１つの制御信号を表す少なくとも１つの制御シンボルと、この少なくとも１つの制御シンボルのためのチャネルセットからの少なくとも１つのチャネルとを第１のアンテナポートにおいて受け取るステップと、少なくとも１つのさらなる制御シンボルと、この少なくとも１つのさらなる制御シンボルのためのチャネルセットからの少なくとも１つのさらなるチャネルとを少なくとも１つのさらなるアンテナポートにおいて受け取るステップとをさらに実行するようにされ、少なくとも１つのさらなる制御シンボル及び少なくとも１つのさらなるチャネルは、少なくとも１つの制御シンボル及び少なくとも１つのチャネルに依存する。
【００３３】
チャネル及びさらなるチャネルは、周波数リソースと、時間周期リソースと、符号リソースと、のうちの少なくとも１つを含むことができる。
【００３４】
本発明の第３の態様によれば、少なくとも１つのポートの少なくとも１つの制御信号を表す少なくとも１つの制御シンボルと、この少なくとも１つの制御シンボルのためのチャネルセットからの少なくとも１つのチャネルとを決定するように構成された第１の制御チャネルジェネレータと、少なくとも１つのさらなるポートの少なくとも１つのさらなる制御シンボルと、該少なくとも１つのさらなる制御シンボルのためのチャネルセットからの少なくとも１つのさらなるチャネルとを決定するように構成された第２の制御チャネルジェネレータとを備えた装置が提供され、少なくとも１つのさらなる制御シンボル及び少なくとも１つのさらなるチャネルは、決定された少なくとも１つの制御シンボル及び少なくとも１つのチャネルに依存する。
【００３５】
この装置は、少なくとも１つの制御シンボルを少なくとも１つのチャネルを介して送受信するように構成された第１のアンテナポートと、少なくとも１つのさらなる制御シンボルを少なくとも１つのさらなるチャネルを介して第２のアンテナポートから送受信するように構成された第２のアンテナポートとをさらに備えることができる。
【００３６】
第２の制御チャネルジェネレータは、少なくとも１つの制御シンボル及び少なくとも１つのチャネルのインジケータを受け取るように構成された入力部と、このインジケータをマッピングして、少なくとも１つのさらなる制御シンボル及び少なくとも１つのさらなる制御シンボルのための少なくとも１つのさらなるチャネルを決定するように構成されたマッパーとを備えることができる。
【００３７】
第２の制御チャネルジェネレータは、チャネルセットを組み合わせてチャネルのペアにするように構成されたチャネルペアラーを備えることができる。
【００３８】
第２の制御チャネルジェネレータは、第１の制御チャネルジェネレータ出力の出力に依存してチャネルの組を選択するように構成されたチャネルペアセレクタを備えることができる。
【００３９】
第２の制御チャネルジェネレータのマッパーは、チャネルセットペアのうちの第２のチャネルのための少なくとも１つの制御シンボルの複素共役をとることにより、少なくとも１つのチャネルがチャネルセットペアのうちの第１のチャネルであることを示すインジケータのためのさらなる制御シンボルを決定するように構成された第１のシンボルジェネレータと、チャネルセットのペアの第１のチャネルのための少なくとも１つの制御シンボルの複素共役と−１の積を生成することにより、少なくとも１つのチャネルがチャネルセットペアのうちの第２のチャネルであることを示すインジケータのためのさらなる制御シンボルを決定するように構成された第２のシンボルジェネレータとを備えることができる。
【００４０】
インジケータは、第１の数の要素を含むベクトルを含むことができ、この第１の数の要素は利用可能なチャネル数であり、各要素が、この要素に関連するチャネル上で出力されるように選択されたシンボルの指示を表す。
【００４１】
マッパーは、少なくとも１つのさらなる制御シンボル及び第１の数の第２のベクトル要素を含む第２のベクトルを含む少なくとも１つのさらなるチャネルのインジケータをＹとし、第２のベクトル要素の各々が、少なくとも１つのさらなるポートのための要素に関連するチャネル上で出力されるように選択されたシンボルの指示を表し、少なくとも１つのポートのための少なくとも１つの制御シンボル及び少なくとも１つのチャネルのベクトルインジケータをＸとする数学関数：
0005633913.tif 000004
を実行するように構成されたプロセッサをさらに含む。
【００４２】
チャネルセットは、割り当てられたチャネルの組を含むことができる。
【００４３】
第２の制御チャネルジェネレータのマッパーは、割り当てられたチャネルの組が奇数のチャネルであると判断するように構成されたチャネル数決定器と、割り当てられたチャネルの組が奇数のチャネルの場合、さらに割り当てるチャネルを選択するように構成された追加チャネルアロケータとを備えることができ、チャネルセットは、このさらに割り当てるチャネルをさらに含む。
【００４４】
チャネル及びさらなるチャネルは、周波数リソースと、時間周期リソースと、符号リソースと、のうちの少なくとも１つを含むことができる。
【００４５】
装置は、少なくとも１つの制御信号を表す少なくとも１つの制御シンボルと、この少なくとも１つの制御シンボルのためのチャネルセットからの少なくとも１つのチャネルとを受け取るように構成された第１のアンテナポートと、少なくとも１つのさらなる制御シンボルと、この少なくとも１つのさらなる制御シンボルのためのチャネルセットからの少なくとも１つのさらなるチャネルとを少なくとも１つのさらなるアンテナポートにおいて受け取るように構成された第２のアンテナポートとをさらに備えることができ、少なくとも１つのさらなる制御シンボル及び少なくとも１つのさらなるチャネルは、少なくとも１つの制御シンボル及び少なくとも１つのチャネルに依存する。
【００４６】
本発明の第４の態様によれば、少なくとも１つのポートの少なくとも１つの制御信号を表す少なくとも１つの制御シンボルと、この少なくとも１つの制御シンボルのためのチャネルセットからの少なくとも１つのチャネルとを決定するように構成された第１の制御チャネルジェネレータ手段と、少なくとも１つのさらなるポートの少なくとも１つのさらなる制御シンボルと、該少なくとも１つのさらなる制御シンボルのためのチャネルセットからの少なくとも１つのさらなるチャネルとを決定するように構成された第２の制御チャネルジェネレータ手段とを備えた装置が提供され、少なくとも１つのさらなる制御シンボル及び少なくとも１つのさらなるチャネルは、決定された少なくとも１つの制御シンボル及び少なくとも１つのチャネルに依存する。
【００４７】
本発明の第５の態様によれば、コンピュータによる実行時に、少なくとも１つのポートの少なくとも１つの制御信号を表す少なくとも１つの制御シンボルと、この少なくとも１つの制御シンボルのためのチャネルセットからの少なくとも１つのチャネルとを決定するステップと、少なくとも１つのさらなるポートの少なくとも１つのさらなる制御シンボルと、この少なくとも１つのさらなる制御シンボルのためのチャネルセットからの少なくとも１つのさらなるチャネルとを決定するステップとを実行する命令を符号化されたコンピュータ可読媒体が提供され、少なくとも１つのさらなる制御シンボル及び少なくとも１つのさらなるチャネルは、少なくとも１つの制御シンボル及び少なくとも１つのチャネルに依存する。
【００４８】
電子装置が、上述したような装置を含むことができる。
【００４９】
チップセットが、上述したような装置を含むことができる。
【００５０】
集積回路又はチップセットが、上述したような装置を含むことができる。
【００５１】
ユーザ装置が、上述したような装置を含むことができる。
【００５２】
基地局が、上述したような装置を含むことができる。
【００５３】
添付の図を参照しながら本発明の様々な実施形態をほんの一例として説明する。
【図面の簡単な説明】
【００５４】
【図１】本発明の実施形態を実施できる図式的な基地局及びユーザ装置構成を含むシステムの概略図である。
【図２】本出願のいくつかの実施形態によるアップリンクチャネルセレクタの概略図である。
【図３】本出願のいくつかの実施形態によるアップリンクチャネルセレクタの動作フロー図である。
【発明を実施するための形態】
【００５５】
本明細書では、本発明の実施形態を特定の例として及び特に好ましい実施形態を参照しながら説明する。当業者であれば、本発明が、本明細書に示す特定の実施形態の詳細に限定されるものではないと理解するであろう。さらに、以下の明細書では、いくつかの箇所で「ある（ａｎ）」、「１つの（ｏｎｅ）」、又は「いくつかの（ｓｏｍｅ）」実施形態について言及している場合があるが、これを、各言及が同じ実施形態に対するものであり、又はその特徴が単一の実施形態にのみ適用されると解釈すべきではない。
【００５６】
図１に、本発明のいくつかの実施形態を実施できる通信ネットワーク３０を示す。具体的には、本発明のいくつかの実施形態は、無線環境１５１上を介して通信するユーザ装置２０１、リレー、アクセスポイント又は基地局１０１を含むことができる一連の機器の無線変調器／復調器（モデム）の実装に関連することができる。
【００５７】
本発明の実施形態は、ＷＣＤＭＡ（広帯域符号分割多元接続）、３ＧＰＰ  ＬＴＥ（ロングタームエボリューション）、ＷｉＭａｘ（ワールドワイド・インターオペラビリティ・フォー・マイクロウェーブ・アクセス）、ＵＭＢ（ウルトラモバイルブロードバンド）、ＣＤＭＡ（符号分割多元接続）、１ｘＥＶ−ＤＯ（エボリューションデータ最適化）、ＷＬＡＮ（無線ローカルエリアネットワーク）、及びＵＷＢ（ウルトラワイドバンド）受信機を含む一連の標準規格及びこれらの進化に従って実現される通信ネットワークに適用することができる。
【００５８】
図１には、本発明の実施形態を実施できるシステムの概略図を示している。基地局１０１との通信ネットワーク３０を示しており、この基地局１０１は、ノードＢ（ＮＢ）、エンハンストノードＢ（ｅＮＢ）、又はユーザ装置２０１が通信システムに無線でアクセスできるようにするのに適したあらゆるアクセスサーバとすることができる。
【００５９】
図１に示すシステムでは、基地局（ＢＳ）１０１が、ダウンリンク（ＤＬ）として知られている無線環境通信チャネル１５１を介してユーザ装置（ＵＥ）２０１に送信を行うことができ、ユーザ装置（ＵＥ）２０１が、アップリンク（ＵＬ）として知らていれる無線環境通信チャネル１５１を介して基地局（ＢＳ）１０１に送信を行うことができる。
【００６０】
いくつかの実施形態では、基地局１０１が、受信機／送信機回路１０３の動作を制御するように構成できるプロセッサ１０５を備えることができる。いくつかの実施形態では、このプロセッサを、メモリ１０６に記憶されたソフトウェアを実行するように構成することができる。
【００６１】
いくつかの実施形態では、メモリ１０６を、送信する及び／又は受信したデータ及び／又は情報を記憶するようにさらに構成することができる。このような実施形態では、メモリ１０６を、プロセッサ１０５が基地局１０１を動作させる際に使用する構成パラメータを記憶するためにさらに使用することができる。
【００６２】
いくつかの実施形態では、送信機／受信機回路１０３を、無線環境を介した送信（又はこれを介した受信）のための特定のプロトコルの無線周波数信号とベースバンドデジタル信号との間の変換を行う構成可能な送信機及び／又は受信機として動作するように構成することができる。いくつかの実施形態では、送信機／受信機回路１０３を、無線環境１５１を介して送信する、又は無線環境１５１から受信するデータ及び／又は情報のためのバッファとしてメモリ１０６を使用するように構成することができる。
【００６３】
いくつかの実施形態では、送信機／受信機回路１０３を、無線環境を介してユーザ装置２０１との間で無線周波数信号を送受信するための少なくとも１つのアンテナに接続するようにさらに構成することができる。図１には、いずれも信号を送受信するように構成された第１のアンテナ１０７１及び第２のアンテナ１０７２という２つのアンテナを備えた基地局を示している。本発明の別の実施形態では、基地局が、図１に点線で示すアンテナ１０７ｍにより表される、より多くのアンテナを有することができる。いくつかの実施形態では、ｍを４とすることができる。
【００６４】
いくつかの実施形態では、基地局１０１が、通信リンク１１１を介して他のネットワーク要素に接続される。このような実施形態では、通信リンク１１１が、ネットワーク接続を介してユーザ装置２０１へ送信するデータをダウンリンクで受信し、ネットワーク接続を介してユーザ装置２０１から受信したデータをアップリンクで送信する。いくつかの実施形態では、このデータが、基地局１０１によって動作するセル又は無線通信範囲内の全てのユーザ装置のためのデータを含む。図１には、通信リンク１１１を有線リンクとして示している。しかしながら、この通信リンクは、さらに無線通信リンクであってもよいと理解されるであろう。さらに、いくつかの実施形態では、この基地局１０１の通信リンク１１１を、以下でさらに詳細に説明するような、基地局と通信するユーザ装置が使用する無線リンクと同様の無線通信リンクを使用して実現することもできる。このような実施形態では、基地局１０１を、ユーザ装置とさらなる基地局装置の間で動作するリレーノード又はエンハンスト・リレーノードとして動作するように構成することができる。以下の説明は、基地局が受信して復号するように構成された制御信号の準備及び生成に大きく重点を置いているが、この基地局が、どのアンテナがどのチャネルを使用しているかを認識していることがさらに理解されるであろう。
【００６５】
図１には、基地局１０１の範囲内にある２つのユーザ装置２０１を示している。しかしながら、基地局１０１の範囲内にはこれより多くの又は少ないユーザ装置２０１が存在できると理解されるであろう。ユーザ装置は、移動局であっても、又は基地局との通信に適した他のいずれかの装置又は電子機器であってもよい。例えば、本発明のいくつかのさらなる実施形態では、このユーザ装置を、個人用データオーガナイザ、又は以下で説明するような環境における無線通信に適したポータブルコンピュータとすることができる。本発明の実施形態は、リレー局にも適用できると理解されたい。
【００６６】
具体的には、図１には第１のユーザ装置ＵＥ1  ２０１1及び第２のユーザ装置ＵＥ2  ２０１2を示している。さらに、図１には、第１のユーザ装置ＵＥ1  ２０１1の方をより詳細に示している。いくつかの実施形態では、第１のユーザ装置２０１1が、受信機／送信機回路２０３の動作を制御するように構成されたプロセッサ２０５を備えることができる。いくつかの実施形態では、プロセッサ２０５を、メモリ２０７に記憶されたソフトウェアを実行するように構成することができる。このプロセッサは、スペクトル使用量を減少させることなどのために、ユーザ装置のディスプレイの動作、オーディオ及び／又はビデオの符号化及び復号などの、ユーザ装置が実行する必要があるあらゆる動作をさらに制御して動作させることができる。
【００６７】
いくつかの実施形態では、メモリ２０７を、送信する及び／又は受信したデータ及び／又は情報を記憶するようにさらに構成することができる。いくつかの実施形態では、メモリ２０７を、プロセッサ２０５がユーザ装置２０１1を動作させる際に使用する構成パラメータを記憶するためにさらに使用することができる。いくつかの実施形態では、ユーザ装置及び基地局の両方におけるメモリを、（フラッシュメモリ、ランダムアクセスメモリ、読み取り専用メモリなどの）固体メモリ、（ＣＤ又はＤＶＤ形式のデータディスクなどの）光メモリ、（フロッピー（登録商標）又はハードドライブなどの）磁気メモリ、又はプロセッサを動作させるためのプログラム、構成データ又は送受信データを記憶するのに適したあらゆる媒体とすることができる。
【００６８】
いくつかの実施形態では、送信機／受信機回路２０３を、無線環境を介した送信（又は受信）のための特定のプロトコルの無線周波数信号とベースバンドデジタル信号との間の変換を行う構成可能な送信機及び／又は受信機として動作するように構成することができる。従って、いくつかの実施形態では、送信機／受信機回路２０３を、無線環境１５１上を介して送信する又は無線環境１５１から受信したデータのためのバッファとしてメモリ２０７を使用するように構成することができる。
【００６９】
送信機／受信機回路２０３は、無線環境を介して基地局１０１に無線周波数信号を送受信するための少なくとも２つのアンテナに接続するように構成される。図１には、第１のアンテナ２５１11及び第２のアンテナ２５１12という２つのアンテナを備えたユーザ装置を示している。しかしながら、いくつかの実施形態では、各ユーザ装置に２つよりも多くのアンテナ又はアンテナポートが存在してもよいと理解されるであろう。さらに、いくつかの他の実施形態では、１又はそれ以上のユーザ装置に、２つのアンテナポートに仮想化された２つよりも多くのアンテナが存在してもよい。
【００７０】
図１及び以下で説明する例では、ユーザ装置及び基地局を、以下で説明する動作を実行するように構成されたプロセッサを有するものとして説明しているが、本発明の実施形態では、それぞれのプロセッサが、単一のプロセッサ又は複数のプロセッサを含むことができると理解されよう。さらにいくつかの実施形態では、１又はそれ以上の集積回路によってプロセッサを実現することができる。
【００７１】
本発明のいくつかの実施形態は、３ＧＰＰ  ＬＴＥ  Ｒｅｌ．１０の一部とすることができるＬＴＥ−Ａｄｖａｎｃｅｄシステムで使用することができる。しかしながら、これは一例にすぎず、別のシステムでも本発明の実施形態を使用できると理解されたい。
【００７２】
図２では、本出願のいくつかの実施形態に関連するプロセッサ２０５についてさらに詳細に説明し、特にＰＵＣＣＨチャネルセレクタ装置及びＰＵＣＣＨシンボル生成装置をさらに詳細に示す。図３では、本出願のいくつかの実施形態によるプロセッサの、特にＰＵＣＣＨチャネルセレクタ装置及びＰＵＣＣＨシンボル生成装置の動作についてさらに詳細に説明する。
【００７３】
従って、いくつかの実施形態では、プロセッサ２０５が、確保する必要があるＰＵＣＣＨチャネル数を大幅に増やすことなく、複数アンテナ送信のためのＰＵＣＣＨチャネル選択を行うように構成される。要約した本出願のこのような実施形態では、まず第１のアンテナポートのＰＵＣＣＨチャネルを情報量に基づいて選択することができる。説明するように、この処理は、いくつかの実施形態では、例えば標準規格３ＧＰＰ  ＴＳ  ３６．２１３  Ｖ８．８．０に記載されているチャネル選択処理などのシングルアンテナポートのチャネル選択処理、又はその他のいずれかの好適なチャネル選択処理に類似する。次に、第１のアンテナポートに使用するチャネルインデックスにリンクされた第２のアンテナポートの第２のＰＵＣＣＨチャネルを所定のルールによって選択することができる。いくつかの実施形態では、この所定のルールの別の部分を、例えば第１のアンテナポート信号から第２のアンテナポート信号を定義することとすることができる。例えば、いくつかの実施形態では、この所定のルールを、第１のアンテナポート信号に空間符号化を適用して、この符号化された信号を第２のアンテナポートにマッピングすることとすることができる。
【００７４】
アンテナポートが１つのユーザ装置において単一の又は奇数のチャネルを選択するこのような実施形態では、追加のＰＵＣＣＨチャネルが割り当てられ又は確保される。従って、これらの実施形態では、シングルユーザ多入力多出力（ＳＵ−ＭＩＭＯ）ユーザ装置でのチャネル選択に利用できるＰＵＣＣＨチャネルが常に偶数存在する。
【００７５】
例えば、図２に示すように、プロセッサ２０５は、１次ＰＵＣＣＨチャネルセレクタ３０３を含む。いくつかの実施形態では、この１次ＰＵＣＣＨチャネルセレクタ３０３を第１のアンテナマッパーとして定義し又は呼ぶことができる。１次ＰＵＣＣＨチャネルセレクタ３０３は、制御データビット及び（チャネル確保情報などの）チャネルインジケータを受け取り、第１のアンテナポートに対して、第１の又は１次アンテナ２５１11上で出力すべきシンボルを生成するように構成される。
【００７６】
いくつかの実施形態では、１次ＰＵＣＣＨチャネルセレクタ３０３が、まずこのシンボルを生成してからチャネルを選択する。
【００７７】
この制御チャネルのためのデータビットを受け取る動作を図３のステップ４０１に示している。
【００７８】
シンボルを生成してＰＵＣＣＨチャネルを選択する動作は、あらゆる好適なＰＵＣＣＨチャネル選択動作を使用して行うことができる。例えば、上述したように、あらゆる好適な単一送信機アンテナのＰＵＣＣＨ選択及びシンボル生成基準を使用することができる。例えば、いくつかの実施形態では、ＰＵＣＣＨフォーマット１／１ａ／１ｂチャネル選択を使用することができる。さらに、これらの又はいくつかの他の実施形態では、３ＧＰＰ標準化グループによって公開されている３ＧＰＰ  ＴＳ３６．２１３  Ｖ．８．８．０（２００９−０９）規格に記載されるようなＰＵＣＣＨフォーマット１ｂチャネル選択基準を使用することができる。これらの実施形態では、ＰＵＣＣＨチャネルの選択、及びこの選択した第１のアンテナポートのチャネルを介して送信する変調シンボルの選択を、情報量に基づいて行うことができる。
【００７９】
このような実施形態では、１次ＰＵＣＣＨチャネルセレクタ３０３におけるチャネル選択の対象となる利用可能なＰＵＣＣＨフォーマットチャネルがＭ個存在する。（各々が２つ又は３つの異なる状態、ＡＣＫ／ＮＡＣＫ及びＤＴＸを有する）複数の別個の情報要素に対応する情報量に基づいて、ＵＥは、Ｍ個のＰＵＣＣＨフォーマット１／１ａ／１ｂチャネルのうちの１つを送信用に選択し、この選択したＰＵＣＣＨフォーマット１／１ａ／１ｂチャネルを介して、ＱＰＳＫ変調されたＰＵＣＣＨフォーマット１ｂのシーケンスを１つ送信することができる。情報の一部はチャネル選択を受け、別の部分はシーケンス変調を受ける。
【００８０】
例えば、４つの割り当てられたＰＵＣＣＨチャネル｛ＣＥ＃０、ＣＥ＃１、ＣＥ＃２、及びＣＥ＃３｝が存在する場合、１次ＰＵＣＣＨチャネルセレクタ３０３は、４ビットの制御データビット［ｂ０、ｂ１、ｂ２、ｂ３］のマッピング時に、４つのＱＰＳＫシンボル｛Ｓ０、Ｓ１、Ｓ２、Ｓ３｝のうちの１つを生成し、以下のテーブルのアンテナポート＃１の列に示すように、第１のアンテナポートチャネルの１つでこれらのシンボルの１つを出力することができる：
0005633913.tif 000005
【００８１】
この第１のアンテナポートチャネルを選択して変調シンボルを選択する動作を図３のステップ４０３に示している。
【００８２】
いくつかの実施形態では、プロセッサ２０５が、２次ＰＵＣＣＨチャネルセレクタ３０５をさらに含むことができ、いくつかの実施形態では、これを第２のアンテナポートマッパーとして説明又は定義することもできる。２次ＰＵＣＣＨチャネルセレクタ３０５は、どのシンボルをどのチャネル上で出力すべきかを示す出力を１次ＰＵＣＣＨチャネルセレクタ３０３から受け取り、同じデータではあるが信号の送信時に１次又は第１のアンテナポート出力に干渉せずに何らかの空間ダイバーシチ支援を行うように別様に符号化されたデータを２次ＰＵＣＣＨチャネルセレクタ３０５が第２のアンテナポート上で出力するように第２のＰＵＣＣＨチャネル選択を生成する。具体的には、これらの実施形態では、このデータ送信を、現在第２のアンテナポート信号が使用しているＰＵＣＣＨチャネル上で第１のアンテナポート信号を送信するデータ送信と容易に区別できるように第２のアンテナポート信号を符号化する。
【００８３】
いくつかの実施形態では、２次ＰＵＣＣＨチャネルセレクタ３０５が、１次ＰＵＣＣＨチャネル選択出力の受け取り時に、第２のアンテナポート２５１12に出力すべき独自の２次ＰＵＣＣＨチャネルセレクタ出力を生成するルックアップテーブルを含む。上記のテーブルで分かるように、これらの４つのチャネルの例では、受信機側でこのような信号の検出を可能にするために、第２のアンテナポート信号の空間符号化を行う４つの制御ビットが決定される。
【００８４】
いくつかの実施形態では、２次ＰＵＣＣＨチャネルセレクタ３０５が、１次ＰＵＣＣＨチャネルセレクタ３０３が使用した利用可能な又は割り当てられたＰＵＣＣＨチャネルセットからＰＵＣＣＨチャネルをペアにするように構成される。従って、このような実施形態では、２次ＰＵＣＣＨチャネルセレクタ３０５が、ペアリング動作を行うためのチャネルペアラーを含むことができる。いくつかの実施形態で後述するように、このチャネルペアラーを、１次ＰＵＣＣＨチャネルセレクタ３０３内のどこで奇数チャネルがチャネルセットとして使用されたかを特定し、追加のチャネルを使用して残りのチャネルペアリングを完了させるように構成することができる。このような実施形態では、２次ＰＵＣＣＨチャネルセレクタ３０５及び／又はチャネルペアラーが、ペアリング動作の結果、各割り当てられたＰＵＣＣＨチャネルが唯一のペアの一部となることを条件にチャネルを任意にペアにする。
【００８５】
さらに、いくつかの実施形態では、２次ＰＵＣＣＨチャネルセレクタ３０５が、ＰＵＣＣＨペアチャネルのうちの１つのペアを選択するようにさらに構成される。いくつかの実施形態では、２次ＰＵＣＣＨチャネルセレクタが、ペアリング情報及び１次ＰＵＣＣＨチャネル選択の結果を受け取り、１次ＰＵＣＣＨチャネルセレクタ３０３が選択したチャネルに基づいて、ペアになったＰＵＣＣＨチャネルを選択するように構成されたペアセレクタを含む。
【００８６】
これらの実施形態では、２次ＰＵＣＣＨチャネルセレクタ３０５が、第１のペアになったＰＵＣＣＨチャネルにマッピングされる第１のアンテナポート信号に対応する第２のアンテナポート信号を生成するようにさらに構成される。従って、これらの実施形態では、２次ＰＵＣＣＨチャネルセレクタが、１次ＰＵＣＣＨチャネルセレクタ３０３から出力された第１のアンテナポート信号の複素共役であって、ペアになったＰＵＣＣＨチャネルのうちの第２のＰＵＣＣＨチャネルでマッピングされるシンボル／信号を生成するように構成されたチャネルマッパーを含む。さらに、このような実施形態では、チャネルマッパーを、ペアになったＰＵＣＣＨチャネルのうちの第２のＰＵＣＣＨチャネルでマッピングされる第１のアンテナポート信号の複素共役に−１をさらに乗じたものに対応する、ペアになったＰＵＣＣＨチャネルのうちの第１のＰＵＣＣＨチャネルでマッピングされる第２のアンテナポート信号をさらに生成するように構成することができる。
【００８７】
従って、いくつかの実施形態では、２次ＰＵＣＣＨチャネルセレクタ３０５が、受け取った第１のアンテナポート関数Ｘから第２のアンテナポート関数Ｙを生成するためにマッピング関数を適用する。Ｘ及びＹは、全てのＰＵＣＣＨチャネルに関してアンテナポート１及び２上の変調シンボルをそれぞれ含むサイズ４のベクトルである。従って、Ｘ（０）は、１次ＰＵＣＣＨチャネルセレクタ３０３により生成されるＣＥ＃０チャネル上の出力であり、Ｘ（１）はＣＥ＃１チャネル上の出力であり、Ｘ（２）はＣＥ＃２チャネル上の出力であり、Ｘ（３）はＣＥ＃３上の出力である。この例のＹベクトルは、以下のように表すことができる。
Ｙ＝［−ｃｏｎｊ（Ｘ（１））  ｃｏｎｊ（Ｘ（０））  −ｃｏｎｊ（Ｘ（３））  ｃｏｎｊ（Ｘ（２））］
式中、ｃｏｎｊ（Ｘ（ｎ））はＸ（ｎ）の複素共役である。
【００８８】
４つよりも多くのチャネルが存在するいくつかの実施形態では、あらゆる偶数のＰＵＣＣＨチャネルに関して、２次ＰＵＣＣＨチャネルセレクタ３０５の動作を以下のようにさらに一般化することができる。
0005633913.tif 000006
式中、ｉは、ＰＵＣＣＨチャネルインデックス０、１、２、３、・・・である。
【００８９】
この１次チャネル選択及び変調シンボル情報を使用して２次ＰＵＣＣＨチャネルを選択し、変調シンボルを選択する動作を図３のステップ４０５に示している。
【００９０】
上記の例では、４ビットの制御情報、ＱＰＳＫ変調シンボル、及び２つのアンテナポートを使用したが、いくつかの実施形態では、より多くの又は少ないビットを実装することができ、他のタイプの変調を行うことができ、２つよりも多くのアンテナポートを使用できると理解されよう。特に、いくつかの実施形態では、さらなるアンテナマッパーを、チャネル選択データ及びチャネル割り当てデータを受け取って、以前のチャネル選択に依存する割り当てられたチャネルセットからさらなるチャネル選択を決定するように構成することができる。さらに、上記に示した例は、やはり上記に示した一般化したＹ方程式により定義されるが、決定されたアンテナポートチャネル選択から他のマッピングを実施して、さらなるアンテナポートのためのチャネル選択を行うことができる。
【００９１】
アンテナポート上で出力するためのセレクタチャネルを使用してシンボルを出力することを、図３のステップ４０７に示している。
【００９２】
本発明者らが発見したように、検索システムの利点は、偶数のリソースを割り当てた場合に、複数の送信アンテナを備えたユーザ装置が、シングルアンテナのユーザ装置と同じ量のＰＵＣＣＨリソース／チャネルを使用して動作できるにもかかわらず空間利得を生み出す点である。奇数のビットを使用する、又は符号化する必要がある、或いは奇数のリソースを割り当てたいくつかの実施形態では、単一の追加のＰＵＣＣＨチャネルリソースのみを使用することにより、上述したような複数の送信アンテナの方法を実施することができる。
【００９３】
１次ＰＵＣＣＨチャネルセレクタ３０３によって動作する１次ＰＵＣＣＨチャネル選択基準において、奇数のＰＵＣＣＨチャネルが必要とされる、又は必要と判断される、又は割り当てられるこのような実施形態では、全てのチャネルが必要でない場合でも、１次ＰＵＣＣＨチャネルセレクタが偶数のチャネルを割り当て又は割り当てられる。
【００９４】
このことは、例えば、利用可能なＰＵＣＣＨチャネルの数がエンハンストノードＢのスケジューリングの決定によって動的に変化し得る典型的な時分割複信（ＴＤＤ）動作において有用である。
【００９５】
いくつかの実施形態では、ユーザ装置が、追加のＰＵＣＣＨチャネルの使用を明示的にシグナリングするように構成される。
【００９６】
他のいくつかの実施形態では、ユーザ装置が、対応する物理ダウンリンク制御チャネルの第１の制御チャネル要素への所定のリンクに基づいて、追加のチャネルを非明示的に導出するように構成される。
【００９７】
以下のテーブルに示す例には、４つのチャネル／リソース／サブフレームの例において受け取るリソース割り当て（ＤＬグラント）数が１〜４であり、追加のＰＵＣＣＨリソースの明示的及び非明示的リソース割り当ての両方に適用可能なサブフレーム（又はコンポーネントキャリア）固有のリソースの使用状況を示している。
0005633913.tif 000007
サブフレーム/ＣＣ サブフレーム/ＣＣ サブフレーム/ＣＣ サブフレーム/ＣＣ
追加リソース
0005633913.tif 000008
【００９８】
従って、このテーブルには４つの時分割複信サブフレームを示している。受け取るグラント数が偶数である場合（換言すれば、チャネル選択に偶数のＰＵＣＣＨチャネルを利用できる場合）、第２のアンテナポートは追加リソースを使用しないが、奇数のリソースが与えられる場合、第２のアンテナポートは追加リソースを使用する。上述したように、これらの追加リソースをシグナリングし、又は非明示的に導出することができる。
【００９９】
（第２のアンテナに追加リソースが常に使用される状況と比較した場合）このような実施形態では、両方のアンテナがＰＵＣＣＨチャネル選択の利得を利用することができる。いくつかの実施形態では、追加リソースの明示的シグナリングを、上位層を介して（例えば、ＲＲＣシグナリングの一部として）行うことができる。従って、これらの実施形態では、ｅＮＢがシグナリングを構成することができる。いくつかの実施形態では、この非明示的シグナリングが所定のルールの使用に基づく。このような実施形態では、ＵＥ及びｅＮＢの両方がこのルールを認識しており、この所定のルールに基づいて追加リソースのためのチャネルインデックスを導出する。
【０１００】
従って、これらの実施形態は、偶数のリソース割り当て例において２倍のリソース数を必要とするＳＯＲＴＤ  ＰＵＣＣＨチャネル選択をしのぐ大きな利点を示す。さらに、ＳＯＲＴＤ  ＰＵＣＣＨチャネル選択と一般的に比較しても、本出願の実施形態の実際の例では、ＰＵＣＣＨリソースの５０％〜６７％しか必要としない。
【０１０１】
さらに、空間巡回シフトブロック符号化選択と比較した場合、ＰＵＣＣＨチャネルの数は２に限定されず、さらに単一の物理リソースブロック内でＰＵＣＣＨチャネルを割り当てる必要がない。これにより、これまで知られていた動作をしのぐ大きな利点が得られる。
【０１０２】
さらに、Ｒｅｌ’８  ３ＧＰＰ  ＰＵＣＣＨチャネル選択の仕様及び実装などの既存のチャネル選択基準を使用して１次ＰＵＣＣＨチャネルセレクタ３０３を実装できるという点でさらなる利点がある。換言すれば、第１のアンテナポートに関する動作は、現在使用されているものと同じであり、従って、使用時にのみ追加すればよい第２のアンテナポートに関する既知の最適な状況及び動作に従って最適化することができる。
【０１０３】
本発明の実施形態は、４つよりも少ないアンテナ又は４つよりも多くのアンテナとともに使用することもできる。
【０１０４】
第１及び第２のチャネル選択で使用される上述したチャネルは、例えば周波数リソース、時間周期リソース及び符号リソースなどのあらゆる好適な直交リソースによって定義できると理解されよう。
【０１０５】
なお、移動端末などのユーザ装置又は移動体装置に関連して実施形態を説明したが、本発明の実施形態は、アクセスシステムを介した通信に適している他のいずれの好適な種類の装置にも適用可能である。移動体装置は、例えば適当なマルチ無線の実装に基づいて、異なるアクセス技術を使用できるように構成することができる。
【０１０６】
また、上記ではいくつかの移動体ネットワーク及び無線ローカルエリアネットワークの例示的なアーキテクチャを参照しながらいくつかの実施形態を一例として説明したが、実施形態を、本明細書で図示し説明した以外のあらゆる好適な形の通信システムに適用することもできる。また、アクセスシステムという用語は、アプリケーションにアクセスするユーザに対して無線通信を可能にするように構成されたあらゆるアクセスシステムを意味すると理解することができる。
【０１０７】
上述した動作は、様々なエンティティにおけるデータ処理を必要とすることがある。このデータ処理は、１又はそれ以上のデータプロセッサを使用して行うことができる。同様に、上記の実施形態で説明した様々なエンティティは、単一の又は複数のデータ処理エンティティ及び／又はデータプロセッサ内で実現することができる。適切に適合されたコンピュータプログラムコード製品をコンピュータにロードした場合、これを使用して実施形態を実施することができる。動作を行うためのプログラムコード製品は、キャリアディスク、カード又はテープなどのキャリア媒体上に記憶して提供することができる。データネットワークを介してプログラムコード製品をダウンロードすることも可能である。適当なソフトウェアを使用してサーバ内で実施することもできる。
【０１０８】
例えば、本発明の実施形態をチップセットとして、換言すれば、互いに通信する一連の集積回路として実施することもできる。このチップセットは、コードを実行するように構成されたマイクロプロセッサ、特定用途向け集積回路（ＡＳＩＣ）、又は上述した動作を実行するようにプログラム可能なデジタル信号プロセッサを含むことができる。
【０１０９】
本発明の実施形態は、集積回路モジュールなどの様々な構成要素内で実施することができる。集積回路の設計は、概して高度に自動化されたプロセスとなり得る。論理レベルの設計を、半導体基板上に作製される準備ができている半導体回路の設計に転換するために、複雑かつ強力なソフトウェアツールを利用することができる。
【０１１０】
カリフォルニア州マウンテンビューのＳｙｎｏｐｓｙｓ社、及びカリフォルニア州サンホセのＣａｄｅｎｃｅ  Ｄｅｓｉｇｎ社により提供されるようなプログラムは、十分に確立した設計ルール並びに事前に記憶した設計モジュールのライブラリを使用して、自動的に導体を導き半導体チップ上に構成部品を位置決めすることができる。半導体回路の設計が完了すると、結果として得られる（Ｏｐｕｓ、ＧＤＳＩＩなどの）標準化された電子フォーマットの形の設計を製造のために半導体加工施設すなわち「ｆａｂ」へ送ることができる。
【０１１１】
本出願で使用する「回路」という用語は、（ａ）（アナログ及び／又はデジタル回路のみの実装などの）ハードウェアのみの回路の実装、（ｂ）（ｉ）プロセッサの組み合わせ又は（ｉｉ）携帯電話機又はサーバなどの装置に様々な機能を実行させるように協働する（単複の）プロセッサ／（デジタルシグナルプロセッサを含む）ソフトウェアの一部、ソフトウェア、及び（単複の）メモリなどの回路及びソフトウェア（及び／又はファームウェア）の組み合わせ、及び（ｃ）ソフトウェア又はファームウェアが物理的に存在しない場合でも動作にソフトウェア又はファームウェアを必要とする（単複の）マイクロプロセッサ又は（単複の）マイクロプロセッサの一部などの回路の全てを意味する。
【０１１２】
この「回路」の定義は、あらゆる請求項を含め、本出願におけるこの用語の使用全てに当てはまる。さらなる例として、本出願で使用する「回路」という用語は、１つのプロセッサ（又は複数のプロセッサ）のみの、又はプロセッサの一部とその（又はそれらの）付属ソフトウェア及び／又はファームウェアの実施構成も含む。「回路」という用語は、例えば、及び特定の要素に適用可能な場合、携帯電話のためのベースバンド集積回路又はアプリケーションプロセッサ集積回路、又はサーバ、セルラーネットワーク装置、又は別のネットワーク装置における同様の集積回路も含む。
【０１１３】
上記の説明では、本発明の例示的な実施形態の完全かつ有益な説明を一例としてかつ非限定的な例として行った。しかしながら、添付図面及び添付の特許請求の範囲と併せて読めば、当業者には上述の説明に照らして様々な修正及び適応が明らかとなるであろう。しかしながら、添付の特許請求の範囲に定義する本発明の範囲には、本発明の教示のこのような及び同様の全ての修正も含まれる。
【符号の説明】
【０１１４】
４０１  制御チャネルのためのデータビットを受け取り
４０３  １次ＰＵＣＣＨチャネルを選択してシンボルを生成
４０５  １次チャネル選択を使用して２次ＰＵＣＣＨチャネルを選択し、この選択したチャネルでシンボルをマップ／生成
４０７  アンテナポート上で出力するための選択したチャネルを使用してシンボルを出力
【図１】
0005633913.tif 000013
【図２】
0005633913.tif 000014
【図３】
0005633913.tif 000015